(57)【要約】【課題】システム規模が大きくなっても、総合監視装置にかかる負担が勢い増大することなく、高コストの総合監視装置を必要としないようにする。【解決手段】複数の照明器具２１およびこれらの制御を行う照明制御コントローラ２０を含む照明サブシステム２と、各照明器具２１による消費電力を監視する消費電力監視部１２を持ちこれによって監視されている消費電力を低減する必要がある場合に照明制御コントローラ２０に電力削減指示を出す総合監視装置１とをビル設備ネットワークの配線Ｌ１に接続し、人検出部による検出結果を照明器具２１の制御に利用するマネジメントシステムを構成した。照明制御コントローラ２０は、総合監視装置１から電力削減指示を受けると、自己が属する照明サブシステム２内の各照明器具２１の少なくとも一部に対し、現在の負荷出力レベルよりも低い負荷出力レベルを求めてこの負荷出力レベルで動作させるように制御を行う。【選択図】  図１
2004180412.tif 000002
【特許請求の範囲】
【請求項１】
負荷機器およびこの負荷機器の制御を行うコントローラを含むサブシステムと、
このサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置と
をネットワークに接続して構成され、人が居るか否かの検出をする人検出手段による検出結果が前記負荷機器の制御に利用されるマネジメントシステムに含まれる少なくとも１つの前記サブシステムによりなる負荷制御システムであって、
前記コントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行う
ことを特徴とする負荷制御システム。
【請求項２】
前記人検出手段は、前記サブシステム内の負荷機器またはコントローラに具備され、
前記コントローラは、前記総合監視装置から電力削減指示を受けると、自己が属するサブシステムにおいて、前記人検出手段による人が居なくなったとする検出結果に応じて行われる負荷機器の制御を、前記総合監視装置から電力削減指示を受けない場合の負荷機器の制御に比べて消費電力が低減するように変更するための制御を行う
ことを特徴とする請求項１記載の負荷制御システム。
【請求項３】
前記負荷機器は照明器具であり、
前記人検出手段は、人が居るとする検出結果が前記負荷機器の点灯制御に利用され、人が居なくなったとする検出結果が前記負荷機器の調光制御に利用され、この調光制御の開始時点から所定の点灯保持時間中に人が居る検出結果が得られなければ前記負荷機器の消灯または調光制御に利用されるものであり、
前記コントローラは、前記総合監視装置から電力削減指示を受けると、自己が属するサブシステム内の負荷機器に対し、その点灯保持時間または点灯制御から調光制御への移行完了までのフェード時間を、前記総合監視装置から電力削減指示を受けない場合の点灯保持時間またはフェード時間に比べて短くするように変更するための制御を行う
ことを特徴とする請求項２記載の負荷制御システム。
【請求項４】
前記負荷機器は照明器具であり、
前記人検出手段は、人が居るとする検出結果が前記負荷機器の点灯制御に利用され、人が居なくなったとする検出結果が前記負荷機器の調光制御に利用されるものであり、
前記電力削減指示には電力削減量の異なる複数のレベルがあり、
前記コントローラは、前記総合監視装置から電力削減指示を受けると、この電力削減指示のレベルに応じて、自己が属するサブシステム内の負荷機器に対しその調光制御による調光率を変更するための制御を行う
ことを特徴とする請求項２記載の負荷制御システム。
【請求項５】
前記人検出手段は、前記サブシステム内の複数の負荷機器に具備され、
前記負荷機器は、光源を備え、自己の人検出手段から人が居るとする検出結果が得られると自己の光源を点灯する照明器具であり、
前記コントローラは、前記総合監視装置から電力削減指示を受けると、前記複数の負荷機器から得られるその人検出手段による人が居るとする検出結果から、光源を点灯している照明器具の台数を求め、この台数から前記電力削減指示に応じた負荷出力レベルを求め、前記光源を点灯している照明器具をその負荷出力レベルで動作させるように制御を行う
ことを特徴とする請求項１または２記載の負荷制御システム。
【請求項６】
前記人検出手段は、前記サブシステム内の複数の負荷機器に具備され、
前記コントローラは、前記総合監視装置から電力削減指示を受けると、自己が属するサブシステム内の各負荷機器から得られるその人検出手段による検出結果を利用して、自己が属するサブシステム内の各負荷機器に対し、現在の負荷出力レベルよりも低く人検出手段による検出結果の違いで差の出る負荷出力レベルを求めてこの負荷出力レベルで動作させるように制御を行う
ことを特徴とする請求項１または２記載の負荷制御システム。
【請求項７】
請求項１から６のいずれかに記載の負荷制御システムと、この負荷制御システム内の負荷機器による消費電力を監視する消費電力監視手段を持ち、この消費電力監視手段によって監視されている消費電力を低減する必要がある場合に前記負荷制御システム内のコントローラに電力削減指示を出す総合監視装置とをネットワークに接続して構成され、人が居るか否かの検出をする人検出手段による検出結果が前記負荷機器の制御に利用されることを特徴とするマネジメントシステム。
【発明の詳細な説明】
【０００１】
【発明の属する技術分野】
本発明は、負荷機器およびこの制御用のコントローラを含むサブシステムと、このサブシステム内の負荷機器による消費電力を監視する消費電力監視手段を持つ総合監視装置とをネットワークに接続して構成されるマネジメントシステムにおける上記サブシステムからなる負荷制御システム、およびマネジメントシステムに関するものである。
【０００２】
【従来の技術】
（第１従来技術）
図１５は第１従来技術の（ビル）マネジメントシステムの構成図、図１６は同マネジメントシステムにおける総合監視装置の構成図、図１７は同マネジメントシステムにおける照明サブシステムの模式図である。
【０００３】
第１従来技術のマネジメントシステムは、図１５に示すように、総合監視装置１ＰＡと、種々のサブシステム（２ＰＡ，３，４，５）と、ＯＡネットワークシステム７との信号の橋渡しをするゲートウェイ６とをビル設備ネットワークの配線Ｌ１に接続して構成され、各サブシステムの消費電力管理および運転記録管理が総合監視装置１ＰＡによって行われるようになっている。
【０００４】
総合監視装置１ＰＡは、図１６に示すように、各サブシステムとの信号送受信用のビルネットワークインターフェイス１１と、各サブシステムの消費電力を監視する消費電力監視部１２ＰＡと、各サブシステムの消費電力の目標値を設定する電力目標値管理部１４と、各サブシステムの動作状態に基づいて（電力削減）制御動作パターンを算出する制御判断部１５と、各サブシステムの動作状態情報、および消費電力監視部１２ＰＡ、電力目標値管理部１４、制御判断部１５の演算結果に基づいて、各サブシステムヘの指示信号を生成する制御部１０ＰＡとを備え、各サブシステムの電力監視制御を行う。
【０００５】
サブシステムには、図１５に示すように、照明器具２１ＰＡおよびこれを制御するための照明制御コントローラ２０ＰＡから成る照明サブシステム２ＰＡと（図１７参照）、空調機器およびこれを制御するための空調制御コントローラからなる空調サブシステム３と、防犯機器およびこれを制御するための防犯制御コントローラからなる防犯サブシステム４と、防災機器およびこれを制御するための防災制御コントローラからなる防災サブシステム６とがある。
【０００６】
このような構成のマネジメントシステムの概略動作について説明すると、総合監視装置１ＰＡにおいて、消費電力監視部１２ＰＡは、各サブシステムの消費電力を監視し、サブシステムの消費電力が予め規定された電力量を超えると電力削減要求を出す。電力目標値管理部１４は、制御部１０ＰＡを介してその電力削減要求を受けると、各サブシステムの消費電力を削減するための電力目標値を設定する。制御判断部１５は、サブシステム毎に電力目標値管理部１４で設定された電力目標値を実現するための制御動作パターンを算出して制御部１０ＰＡに出力する。制御部１０ＰＡは、制御動作パターンに基づいて、各サブシステムにおいて電力削減制御を実行するための電力削減制御信号を生成し、ビルネットワークインターフェイス１１を介して出力する。
【０００７】
各サブシステムは、総合監視装置１ＰＡから電力削減制御信号を受信すると、この電力削減制御信号に含まれる内容に従って自己の負荷機器の電力削減制御を行う。電力削減制御の後、サブシステム内の消費電力の情報が総合監視装置１ＰＡにフィードバックされ、電力目標値の削減を達成するまで、各サブシステムにおいて電力削減制御が行われる。
【０００８】
なお、図１５において、少なくとも１つの同種のサブシステムにより一の負荷制御システムが構成され、この場合、図中の各サブシステムは負荷制御システムと読み替えられる。例えば、少なくとも１つの照明サブシステム２ＰＡにより照明制御システムが構成され、また少なくとも１つの空調サブシステム３により空調制御システムが構成される。図１７の例では、複数の照明サブシステム２ＰＡにより照明制御システムが構成されている。
【０００９】
（第２従来技術）
図１８は第２従来技術のマネジメントシステムの構成図、図１９，図２０は同マネジメントシステムの動作説明図である。
【００１０】
第２従来技術のマネジメントシステムは、図１８に示すように、第１従来技術と同様の総合監視装置１ＰＡと、複数の照明サブシステム２ＰＡとをビル設備ネットワークの配線Ｌ１に接続して構成されている。
【００１１】
照明サブシステム２ＰＡは、複数の照明器具２１ＰＢと、これら照明器具２１ＰＢに対して点灯、消灯または調光の制御を行う照明制御コントローラ２０ＰＢとを備えている。
【００１２】
照明制御コントローラ２０ＰＢは、総合監視装置１ＰＡとの信号送受信用のビルネットワークインターフェイス２０１と、自己が属する照明サブシステム２ＰＢ内の各照明器具２１ＰＢとの信号送受信用の信号送受信部２０２と、照明器具２１ＰＢの点灯制御を行うための制御信号を生成する照明制御信号生成部２０３と、人が居るか否かの検出をする人検出部２０６と、計時用のタイマ回路２０７と、信号の演算処理を行う演算処理部２００ＰＢとにより構成されている。照明制御コントローラ２０ＰＢは、人検出部２０６による検出情報に基づいて照明器具２１ＰＢの点灯制御を行うとともに、総合監視装置１ＰＡからの電力削減指示を受けた場合は、その指示に従って照明器具２１ＰＢの点灯制御を行う。
【００１３】
次に第２従来技術のマネジメントシステムの動作について、まず総合監視装置１ＰＡによる電力削減制御の動作を説明する。
【００１４】
通常状態では、総合監視装置１ＰＡが、消費電力監視部１２ＰＡで各サブシステム（負荷制御システム）の消費電力を監視している（図１９のＳ１００）。各サブシステムが予め規定された電力量を超えて動作している場合、電力削減制御の第１ステップに移行する。そして、電力目標値管理部１４が、照明サブシステム２ＰＢの消費電力を削減するための電力目標値を設定し（Ｓ１０１）、制御判断部１５が電力目標値を達成するため、照明器具２１ＰＢの点灯レベルを９０％に下げる制御動作パターンを算出する（Ｓ１０２）。制御部１０ＰＡは、制御動作パターンに基づいて、電力削減制御信号を生成し、ビルネットワークインターフェイス１１を介して出力する（Ｓ１０３）。
【００１５】
照明制御コントローラ２０ＰＢは、電力削減制御信号を受信すると、自己の制御対象とする照明器具２１ＰＢ（個々の照明器具が人検出部を備えている場合には人検出により点灯中の照明器具）の点灯レベルを９０％に下げる点灯制御を行い、この点灯制御後の照明器具２１ＰＢの消費電力を総合監視装置１ＰＡにフィードバックする（Ｓ１０４〜Ｓ１０５）。
【００１６】
総合監視装置１ＰＡは、電力削減制御実行後に各照明サブシステム２ＰＢからフィードバックされた消費電力を電力目標値管理部１４で設定された電力目標値と比較し、目標値を達成した場合は、総合監視装置１ＰＡより電力削減解除が通知されるまでその動作状態を保持する（Ｓ１０６〜Ｓ１０８）。一方、目標達成の場合においても更なる電力削減が必要になった場合（Ｓ１０９〜Ｓ１１０）、または目標未達成の場合（Ｓ１１１）は、電力削減の第２ステップに移行する。
【００１７】
第２ステップにおいては、照明器具２１ＰＢの点灯レベルを８０％に下げる制御動作パターンを算出し、これに基づいて電力削減制御信号を生成して照明器具２１ＰＢに出力する（Ｓ１１２〜Ｓ１１３）。これにより、照明器具２１ＰＢの点灯レベルが８０％に下がり、点灯制御後の照明器具２１ＰＢの消費電力が総合監視装置１ＰＡにフィードバックされる（Ｓ１１４〜Ｓ１１５）。
【００１８】
総合監視装置１ＰＡは、電力削減制御実行後に各照明サブシステム２ＰＢからフィードバックされた消費電力を電力目標値管理部１４で設定された電力目標値と比較し、目標値を達成した場合は、総合監視装置１ＰＡより電力削減解除が通知されるまでその動作状態を保持する（Ｓ１１６〜Ｓ１１８）。一方、目標達成の場合においても更なる電力削減が必要になった場合（Ｓ１１９〜Ｓ１２０）、または目標未達成の場合（Ｓ１２１）は、電力削減の第３ステップに移行する。
【００１９】
第３ステップにおいては、照明器具２１ＰＢの点灯レベルを７０％に下げる制御動作パターンを算出し、これに基づいて電力削減制御信号を生成して照明器具２１ＰＢに出力する（Ｓ１２２〜Ｓ１２３）。これにより、照明器具２１ＰＢの点灯レベルが７０％に下がり、点灯制御後の照明器具２１ＰＢの消費電力が総合監視装置１ＰＡにフィードバックされる（Ｓ１２４〜Ｓ１２５）。この状態は、総合監視装置１ＰＡより電力削減解除が通知されるまで保持される（Ｓ１２６）。
【００２０】
なお、照明サブシステム２ＰＢ以外の各種サブシステムにおいても、上記と同様に、総合監視装置１ＰＡで算出された電力削減指示に基づいて、負荷機器の電力削減制御が行われる。
【００２１】
次に人検出部の検出結果に応じた照明サブシステムの動作について説明する。照明制御コントローラ２０ＰＢは、自己の設置場所付近の検出エリア内に人が居るか否かの居否状況を自己の人検出部２０６で監視し、図２０に示すような動作となるように照明器具２１ＰＢを制御する。
【００２２】
すなわち、人検出部２０６から人が居るとする検出結果（図では「人検出」）が得られれば、照明器具２１ＰＢをフル点灯（図では「点灯レベル１００％」）で動作させる制御が実行される。より具体的には、人検出部２０６が人検出情報を演算処理部２００ＰＢに出力し、これを受けた演算処理部２００ＰＢは、信号処理をして、タイマ回路２０７にリセットの指示（リセット指示）を出すとともに、照明器具２１ＰＢの点灯レベルを１００％にするための制御信号を生成するように照明制御信号生成部２０３に指示（生成指示）を出す。リセット指示を受けたタイマ回路２０７は、初期化状態となって一定時間の計時を開始（再開）する。一方、生成指示を受けた照明制御信号生成部２０３は、点灯レベルを１００％にするための照明制御信号を生成し、信号送受信部２０２を介して照明器具２１ＰＢに送信する。これにより、照明器具２１ＰＢが点灯レベル１００％でランプ電力制御を行う。なお、タイマ回路２０７は、一定時間の計時の際に演算処理部２００ＰＢからリセット指示を受けることなく一定時間が経過すれば、その旨（一定時間のタイムアップ）を演算処理部２００ＰＢに通知する。
【００２３】
ｔ１０時点で人検出部２０６から人が居なくなったとする検出結果が得られ、その人非検出結果が保持されたままｔ１１時点で一定時間が経過すれば、その一定時間が経過するまでの間（ｔ１０〜ｔ１１）は、引き続き照明器具２１ＰＢをフル点灯で動作させ、その一定時間が経過した後は、第１のフェード時間をかけてフル点灯から点灯レベル５０％に出力を下げるように照明器具２１ＰＢを動作させる制御が実行される。より具体的には、タイマ回路２０７が演算処理部２００ＰＢに一定時間のタイムアップを通知し、これを受けた演算処理部２００ＰＢは、信号処理をして、後述の点灯保持時間の計時を開始するようにタイマ回路２０７に開始指示を出すとともに、照明器具２１ＰＢの点灯レベルを５０％に下げるための制御信号を生成するように照明制御信号生成部２０３に生成指示を出す。開始指示を受けたタイマ回路２０７は点灯保持時間の計時を開始する。一方、生成指示を受けた照明制御信号生成部２０３は、点灯レベルを５０％に下げるための照明制御信号を生成し、信号送受信部２０２を介して照明器具２１ＰＢに送信する。これにより、照明器具２１ＰＢが第１のフェード時間をかけて点灯レベルを５０％に下げ、このレベルでランプ電力制御を行う。なお、タイマ回路２０７は、演算処理部２００ＰＢからリセット指示を受けることなく点灯保持時間が経過すれば、その旨（点灯保持時間のタイムアップ）を演算処理部２００ＰＢに通知する。
【００２４】
上記第１のフェード時間の終了時点ｔ１２の後、上記一定時間の経過時点ｔ１１から所定の点灯保持時間が経過するまでの間（ｔ１２〜ｔ１３）は、照明器具２１ＰＢを点灯レベル５０％で動作させ、点灯保持時間が経過した後は、第２のフェード時間をかけて点灯レベル５０％から点灯レベル０％（図では「消灯」）に出力を下げるように照明器具２１ＰＢを動作させる制御が実行される。より具体的には、タイマ回路２０７が演算処理部２００ＰＢに点灯保持時間のタイムアップを通知し、これを受けた演算処理部２００ＰＢは、信号処理をして、照明器具２１ＰＢの点灯レベルを０％に下げるための制御信号を生成するように照明制御信号生成部２０３に指示を出す。この指示を受けた照明制御信号生成部２０３は、点灯レベルを０％にするための照明制御信号を生成し、信号送受信部２０２を介して照明器具２１ＰＢに送信する。これにより、照明器具２１ＰＢが第２のフェード時間をかけて点灯レベルを０％に下げ、このレベルでランプ電力（消灯）制御を行う。なお、消灯せずに点灯レベル５０％で点灯維持する場合もある。
【００２５】
この後または上記ｔ１１時点以降において、人検出部２０６から人が居るとする検出結果が得られれば、照明器具２１ＰＢをフル点灯で動作させる制御が実行される。
【００２６】
以上のように、照明制御コントローラ２０ＰＢの人検出部２０６の検出結果に基づいて、自動的に照明器具２１ＰＢの制御を行うことにより、人の居否状況を考慮した照明器具の制御が可能となる。なお、個々の照明器具に人検出部を設け、それぞれの人検出部の検出結果に基づいて、個々の照明器具が単独で制御を行う構成も存在している。
【００２７】
なお、特開平１１−４５７８２号公報（特許文献１）には、伝送線によって主制御装置に照明負荷調光用を含む１乃至複数の端末器を接続し、主制御装置では照明負荷の調光出力値を調光制御データとして伝送線を介して調光用端末器に伝送し、調光用端末機は調光出力値に応じて照明負荷を調光する調光監視制御システムが記載されている。
【００２８】
【特許文献１】
特開平１１−４５７８２号公報
【００２９】
【発明が解決しようとする課題】
第１従来技術では、電力監視、電力削減制御の機能が総合監視装置に集中しており、システム規模が大きくなると、各サブシステムの消費電力監視、電力削減のための制御動作パターン算出時の演算処理において、総合監視装置の負担が重くなる問題がある。また、上記の機能を実現するには、総合監視装置内の消費電力監視部、制御判断部、制御部に、高機能な演算処理機能を必要とし、総合監視装置自体が高コストになってしまう。
【００３０】
第２従来技術では、照明システムの場合、人検出部の検出結果と連動した照明器具の制御が可能になるとともに、総合監視装置からの電力削減指示に従った照明器具の制御が可能になる。
【００３１】
しかしながら、それら双方の制御がそれぞれ独立して行われ、前者の制御と後者の制御との間で電力削減指示による制御が最適化されておらず、照明器具の電力削減制御において、更なる改善の余地がある。
【００３２】
また、図２０に示したように調光制御を一律に行う構成では、人非検出で消灯している照明器具がランダムに存在している場合、総合監視装置で設定された電力目標値を達成するのが困難な場合がある。すなわち、人非検出で消灯している照明器具近傍に設置されている照明器具についても同様に点灯レベルが下がるので、消灯している照明器具近傍の視環境が、他の場所に比べて照度の低下量が大きいために悪化する恐れがある。
【００３３】
本発明は、上記事情に鑑みてなされたものであり、システム規模が大きくなっても、総合監視装置にかかる負担が勢い増大することなく、高コストの総合監視装置を必要としない負荷制御システムおよびマネジメントシステムを提供することを目的とする。
【００３４】
【課題を解決するための手段】
上記課題を解決するための請求項１記載の発明は、負荷機器およびこの負荷機器の制御を行うコントローラを含むサブシステムと、このサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置とをネットワークに接続して構成され、人が居るか否かの検出をする人検出手段による検出結果が前記負荷機器の制御に利用されるマネジメントシステムに含まれる少なくとも１つの前記サブシステムによりなる負荷制御システムであって、前記コントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行うことを特徴とする。
【００３５】
請求項２記載の発明は、請求項１記載の負荷制御システムにおいて、前記人検出手段は、前記サブシステム内の負荷機器またはコントローラに具備され、前記コントローラは、前記総合監視装置から電力削減指示を受けると、自己が属するサブシステムにおいて、前記人検出手段による人が居なくなったとする検出結果に応じて行われる負荷機器の制御を、前記総合監視装置から電力削減指示を受けない場合の負荷機器の制御に比べて消費電力が低減するように変更するための制御を行うことを特徴とする。
【００３６】
請求項３記載の発明は、請求項２記載の負荷制御システムにおいて、前記負荷機器は照明器具であり、前記人検出手段は、人が居るとする検出結果が前記負荷機器の点灯制御に利用され、人が居なくなったとする検出結果が前記負荷機器の調光制御に利用され、この調光制御の開始時点から所定の点灯保持時間中に人が居る検出結果が得られなければ前記負荷機器の消灯または調光制御に利用されるものであり、前記コントローラは、前記総合監視装置から電力削減指示を受けると、自己が属するサブシステム内の負荷機器に対し、その点灯保持時間または点灯制御から調光制御への移行完了までのフェード時間を、前記総合監視装置から電力削減指示を受けない場合の点灯保持時間またはフェード時間に比べて短くするように変更するための制御を行うことを特徴とする。
【００３７】
請求項４記載の発明は、請求項２記載の負荷制御システムにおいて、前記負荷機器は照明器具であり、前記人検出手段は、人が居るとする検出結果が前記負荷機器の点灯制御に利用され、人が居なくなったとする検出結果が前記負荷機器の調光制御に利用されるものであり、前記電力削減指示には電力削減量の異なる複数のレベルがあり、前記コントローラは、前記総合監視装置から電力削減指示を受けると、この電力削減指示のレベルに応じて、自己が属するサブシステム内の負荷機器に対しその調光制御による調光率を変更するための制御を行うことを特徴とする。
【００３８】
請求項５記載の発明は、請求項１または２記載の負荷制御システムにおいて、前記人検出手段は、前記サブシステム内の複数の負荷機器に具備され、前記負荷機器は、光源を備え、自己の人検出手段から人が居るとする検出結果が得られると自己の光源を点灯する照明器具であり、前記コントローラは、前記総合監視装置から電力削減指示を受けると、前記複数の負荷機器から得られるその人検出手段による人が居るとする検出結果から、光源を点灯している照明器具の台数を求め、この台数から前記電力削減指示に応じた負荷出力レベルを求め、前記光源を点灯している照明器具をその負荷出力レベルで動作させるように制御を行うことを特徴とする。
【００３９】
請求項６記載の発明は、請求項１または２記載の負荷制御システムにおいて、前記人検出手段は、前記サブシステム内の複数の負荷機器に具備され、前記コントローラは、前記総合監視装置から電力削減指示を受けると、自己が属するサブシステム内の各負荷機器から得られるその人検出手段による検出結果を利用して、自己が属するサブシステム内の各負荷機器に対し、現在の負荷出力レベルよりも低く人検出手段による検出結果の違いで差の出る負荷出力レベルを求めてこの負荷出力レベルで動作させるように制御を行うことを特徴とする。
【００４０】
請求項７記載の発明のマネジメントシステムは、請求項１から６のいずれかに記載の負荷制御システムと、この負荷制御システム内の負荷機器による消費電力を監視する消費電力監視手段を持ち、この消費電力監視手段によって監視されている消費電力を低減する必要がある場合に前記負荷制御システム内のコントローラに電力削減指示を出す総合監視装置とをネットワークに接続して構成され、人が居るか否かの検出をする人検出手段による検出結果が前記負荷機器の制御に利用されることを特徴とする。
【００４１】
【発明の実施の形態】
（第１実施形態）
図１は本発明による第１実施形態のマネジメントシステムの構成図、図２は図１中の照明器具の構成図である。
【００４２】
第１実施形態のマネジメントシステムは、図１に示すように、総合監視装置１と、複数の照明サブシステム２とをビル設備ネットワークの配線Ｌ１に接続して構成され、人が居るか否かの検出をする人検出部による検出結果が負荷機器の制御に利用されるビル設備（機器）である。
【００４３】
なお、第１実施形態では、総合監視装置１が出す電力削減指示による電力削減制御に特徴があり、上記人検出部は、照明サブシステム２における後述の照明制御コントローラ２０または複数の照明器具２１に設けられる構成でも、あるいは単独の端末装置として設けられる構成などでもよく、これらの幾つかについては後述の他の実施形態で説明する。
【００４４】
総合監視装置１は、複数のサブシステム（図１の例では少なくとも照明サブシステム２）との信号送受信用のビルネットワークインターフェイス１１を第１，第２従来技術と同様に備えているほか、それら従来技術との相違点として、消費電力監視部１２と、制御部１０とを備えている。
【００４５】
消費電力監視部１２は、複数のサブシステム内の各負荷機器による消費電力を監視するものである。具体的には、ビルネットワークインターフェイス１１を介して、複数のサブシステムの各々からサブシステムの消費電力値（以下「サブシステム消費電力値」という）を取得し、これらのサブシステム消費電力値を合計して各サブシステム全体の消費電力値（以下「システム消費電力値」という）を算出し、このシステム消費電力値が自己に保持してある消費電力規定値を超えるか否かに応じて電力削減要求を出すか否かを判断するように構成される。電力削減指示には、例えば電力削減レベル１、電力削減レベル２，…の順に削減量が多くなる複数のレベルがあり、そのレベルに応じた消費電力規定値がそのレベルの電力削減要求を出すか否かを判断するために使用される。なお、上記システム消費電力値は、各サブシステム全体の消費電力値になっているが、少なくとも１つの照明サブシステムにより構成される照明制御システムや、少なくとも１つの空調サブシステムにより構成される空調制御システムなどの各種負荷制御システム単位で算出される構成でもよい。
【００４６】
制御部１０は、各サブシステムの動作状態および消費電力監視部１２による監視結果などに基づいて、ビルネットワークインターフェイス１１を介して各サブシステムに指示を出すなど、マネジメントシステム全般の制御などの処理を行うものである。例えば、消費電力監視部１２によって電力削減要求を出すと判断されると、電力削減指示信号を生成してビルネットワークインターフェイス１１を介して各サブシステムに送信する処理が実行される。電力削減指示信号は、電力削減要求が出たことのみを通知するものであり、負荷制御動作の具体的な内容を含まない。
【００４７】
照明サブシステム２は、複数の、負荷機器としての照明器具２１と、これらの照明器具２１と照明信号線Ｌ２を介して接続され、各照明器具２１の制御を行う照明制御コントローラ２０とを備えている。
【００４８】
照明器具２１は、例えば図２に示すように、照明制御コントローラ２０との信号送受信用の信号送受信部２１１と、光源としてのランプ負荷ＬＤと接続され、後述の制御部２１０による制御に従ってランプ負荷ＬＤを点灯、消灯または調光する点灯装置２１２と、ランプ負荷ＬＤの点灯レベル（例えばいわゆるランプ電圧およびランプ電流のレベル）を検出する点灯レベル検出回路２１３とを備えているとともに、制御部２１０を備えている。
【００４９】
この制御部２１０は、照明器具２１全般の制御などの処理、例えば、照明制御信号の信号処理、照明器具２１の動作状態情報信号の生成処理および点灯装置２１２の制御などを行うものである。より具体的には、照明制御コントローラ２０からの照明制御信号が信号送受信部２１１で受信されると、その照明制御信号に含まれる制御内容（制御動作パターン）に従って点灯装置２１２を制御することにより、ランプ負荷ＬＤを点灯、消灯または調光する制御（電力制御）が実行される。また、点灯レベル検出回路２１３で検出された現在の点灯レベルと、予め保持しているランプ負荷ＬＤの定格ランプ消費電力値とに基づいて、照明器具２１の消費電力値（以下「負荷消費電力値」という）の情報を作成し、信号送受信部２１１を介して照明制御コントローラ２０に送信する処理が実行される。ここで、定格ランプ消費電力値が使用されるのは、電力制御のために調光率を知る必要があるからである。
【００５０】
図１に戻って、照明制御コントローラ２０は、総合監視装置１との信号送受信用のビルネットワークインターフェイス２０１と、自己が属する照明サブシステム２内の各照明器具２１との信号送受信用の信号送受信部２０２と、制御動作パターンに合う照明制御信号を生成する照明制御信号生成部２０３とを第２従来技術と同様に備えているほか、第２従来技術との相違点として、電力目標値管理部２０４と、制御判断部２０５と、演算処理部２００とを備えている。
【００５１】
電力目標値管理部２０４は、自己が属する照明サブシステム２内の各照明器具２１の消費電力の目標値（以下「サブシステム目標値」という）を設定するものである。サブシステム目標値は、電力削減指示の電力削減レベルに応じて設定される。
【００５２】
制御判断部２０５は、電力目標値管理部２０４で設定されたサブシステム目標値に合わせて、各照明器具２１の制御動作パターンを作成（算出）するものである。例えば、自己が属する照明サブシステム２内の各照明器具２１の少なくとも一部に対して、現在の負荷出力レベルとしての負荷消費電力値よりも小さい負荷消費電力値を個別目標値として求めてこの個別目標値で動作させるための制御動作パターンが作成される。
【００５３】
演算処理部２００は、演算処理を通じて照明サブシステム２全般の制御などの処理を行うものであり、例えば、信号送受信部２０２を介して各照明器具２１から負荷消費電力値を取得すると、これら負荷消費電力値を加算してサブシステム消費電力値を求め、ビルネットワークインターフェイス２０１を介してそのサブシステム消費電力値を総合監視装置１に送信する処理を行う。また、総合監視装置１からの電力削減指示信号がビルネットワークインターフェイス２０１で受信されると、電力目標値管理部２０４および制御判断部２０５と協調して上記制御動作パターンを作成するための処理が実行される。さらに、その制御動作パターンに合う照明制御信号が照明制御信号生成部２０３で生成されると、信号送受信部２０２を介してその照明制御信号を各照明器具２１に送信する処理が実行される。
【００５４】
次に第１実施形態のマネジメントシステムの動作について説明する。各照明サブシステム２の各照明器具２１において、点灯レベル検出回路２１３で検出された現在の点灯レベルと定格ランプ消費電力値とから負荷消費電力値の情報が作成され、信号送受信部２１１を介して照明制御コントローラ２０に送信される。
【００５５】
各照明サブシステム２の照明制御コントローラ２０において、照明サブシステム２内の各照明器具２１からの負荷消費電力値の情報が信号送受信部２０２を介して取得されると、それら負荷消費電力値を加算することによりサブシステム消費電力値が求められる。この後、そのサブシステム消費電力値は、ビルネットワークインターフェイス２０１を介して総合監視装置１に送信される。
【００５６】
総合監視装置１において、照明サブシステム２などの各サブシステムからのサブシステム消費電力値がビルネットワークインターフェイス１１を介して取得されると、それらサブシステム消費電力値を合計することによりシステム消費電力値が算出される。この後、システム消費電力値が消費電力規定値を超えるか否かに応じて電力削減要求を出すか否かの判断が行われる。そして、電力削減要求を出さないとの判断が行われると、マネジメントシステムの現在の動作状態が維持される一方、電力削減要求を出すとの判断が行われると、電力削減指示信号が生成されてビルネットワークインターフェイス１１を介して各サブシステムに送信される。ここでは、例えば電力削減レベル１の電力削減指示信号が生成されて送信されるとする。
【００５７】
各照明サブシステム２の照明制御コントローラ２０において、総合監視装置１からの電力削減レベル１の電力削減指示信号がビルネットワークインターフェイス２０１で受信されると、電力削減レベル１に対応する電力削減制御モードに移行する。そして、演算処理部２００の指示、転送および信号処理等の協調下で、電力目標値管理部２０４によって電力削減レベル１用のサブシステム目標値が設定され、これに合わせて制御判断部２０５によって、照明サブシステム２内の各照明器具２１の少なくとも一部に対し、現在の負荷消費電力値よりも小さい個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００５８】
各照明サブシステム２の各照明器具２１において、照明制御コントローラ２０からの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、各照明サブシステム２内の各照明器具２１の少なくとも一部の負荷消費電力値が、上記個別目標値になるように低減する。
【００５９】
続いて、制御部２１０によって、点灯レベル検出回路２１３で検出された現在の点灯レベルと定格ランプ消費電力値とから負荷消費電力値の情報が作成され、信号送受信部２１１を介して照明制御コントローラ２０に送信される。なお、この負荷消費電力値の情報の送信処理は、定格ランプ消費電力値を照明制御コントローラ２０に既に送っているなら、省略可能である。
【００６０】
各照明サブシステム２の照明制御コントローラ２０において、最新の各負荷消費電力値からサブシステム消費電力値が算出されサブシステム目標値以下であるか否かの判断が行われる。ここで、各照明器具２１から負荷消費電力値の情報が送信される場合には、それら負荷消費電力値を加算することによりサブシステム消費電力値が算出される。一方、各照明器具２１に対する照明制御信号に含まれる制御内容が調光率であり、各照明器具２１の定格ランプ消費電力値を保持している場合には、その定格ランプ消費電力値に調光率を乗じることにより負荷消費電力値を算出し、各照明器具２１の負荷消費電力値を加算することにより、サブシステム消費電力値が算出される。
【００６１】
そして、サブシステム消費電力値がサブシステム目標値以下であれば、演算処理部２００によって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力（例えば定格ランプ消費電力値）で各照明器具２１が動作する。
【００６２】
一方、サブシステム消費電力値がサブシステム目標値を超えて、演算処理部２００によって目標未達成と判断されるか、または電力削減レベル２に切り替えられるかすれば、電力削減レベル２に対応する電力削減制御モードに移行する。そして、電力目標値管理部２０４によって電力削減レベル２用のサブシステム目標値が設定され、これに合わせて制御判断部２０５によって、照明サブシステム２内の各照明器具２１の少なくとも一部に対し、現在の負荷消費電力値よりも小さい個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００６３】
各照明サブシステム２の各照明器具２１において、照明制御コントローラ２０からの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、各照明サブシステム２内の各照明器具２１の少なくとも一部の負荷消費電力値が、上記個別目標値になるようにさらに低減する。
【００６４】
各照明サブシステム２の照明制御コントローラ２０において、最新の各負荷消費電力値からサブシステム消費電力値が算出されサブシステム目標値以下であるか否かの判断が行われる。
【００６５】
そして、サブシステム消費電力値がサブシステム目標値以下であれば、演算処理部２００によって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１が動作する。
【００６６】
一方、サブシステム消費電力値がサブシステム目標値を超えて、演算処理部２００によって目標未達成と判断されるか、または電力削減レベル３以上のレベルに切り替えられるかすれば、その電力削減レベル３以上に対応する電力削減制御モードに移行し、上記と同様の処理が実行される。なお、電力削減レベルが電力削減量の最大レベルである場合には、図１９のステップＳ１２６と同様に、総合監視装置１から電力削減解除信号が送信されるまで、最大の電力削減レベルの動作状態が維持されるようにしてもよい。
【００６７】
以上、第１実施形態によれば、各照明サブシステム２に含まれる照明制御コントローラ２０が、自己の属する照明サブシステム２内の各照明器具２１の少なくとも一部に対し、現在の負荷消費電力値よりも小さい個別目標値を求めてこの個別目標値で動作させるように制御を行うので、総合監視装置１は、電力削減指示を与えるだけで各照明器具２１の具体的な制御を行う必要がなくなるため、総合監視装置１の演算処理の負担を軽減することができ、その構成を簡単にして安価にすることができる。これにより、システム規模が大きくなっても、総合監視装置にかかる負担が勢い増大することなく、高コストの総合監視装置を必要としない負荷制御システムを提供することができる。
【００６８】
（第２実施形態）
図３は本発明による第２実施形態のマネジメントシステムの構成図、図４は同マネジメントシステムにおける照明サブシステムの動作説明図である。
【００６９】
第２実施形態のマネジメントシステムは、図３に示すように、第１実施形態と同様の総合監視装置１と、第１実施形態とは異なる複数の照明サブシステム２Ａとをビル設備ネットワークの配線Ｌ１に接続して構成されている。
【００７０】
ただし、第２実施形態の電力削減指示には、電力削減量の異なる３つのレベルがあり、電力削減レベル１、電力削減レベル２、電力削減レベル３の順に照明サブシステムに対する電力削減量が多くなるとする。また、制御判断部２０５は、電力削減レベル１，２，３の電力削減指示信号の場合には、自己が属する照明サブシステム２Ａ内の各照明器具２１の少なくとも一部に対し、負荷消費電力値が例えば９０％，８０％，７０％となる個別目標値をそれぞれ求め、この個別目標値で動作させるための制御動作パターンを作成する。なお、９０％，８０％，７０％は、定格ランプ消費電力値に対する点灯レベル（負荷出力レベル）の割合である。
【００７１】
照明サブシステム２Ａは、第１実施形態と同様の複数の照明器具２１と、これらの照明器具２１と照明信号線Ｌ２を介して接続され、各照明器具２１の制御を行う照明制御コントローラ２０Ａとを備えている。
【００７２】
照明制御コントローラ２０Ａは、ビルネットワークインターフェイス２０１と、信号送受信部２０２と、照明制御信号生成部２０３と、電力目標値管理部２０４と、制御判断部２０５とを第１実施形態の照明制御コントローラ２０と同様に備えているほか、照明制御コントローラ２０との相違点として、人検出部２０６と、タイマ回路２０７Ａと、演算処理部２００Ａとを備えている。
【００７３】
人検出部２０６は、例えば熱線センサなどにより構成され所定の検出エリア内に人が居るか否かの検出をするいわゆる人感センサであり、検出結果が検出信号として演算処理部２００Ａに取り込まれるようになっている。
【００７４】
タイマ回路２０７Ａは、図４に示すように、第２従来技術のタイマ回路２０７と同様の点灯保持時間Ｔに加えて、これより短く、Ｔ１，Ｔ２，Ｔ３の順に短くなる点灯保持時間を含む合計４つの点灯保持時間Ｔ，Ｔ１，Ｔ２，Ｔ３から、いずれかの点灯保持時間に切り替える切替機能と、計時機能とを有し、各種時間を計時するようになっている。例えば、タイマ回路２０７Ａは、演算処理部２００Ａからリセット指示を受けると、初期化状態となって一定時間の計時を開始（再開）し、一定時間の計時の際にリセット指示を受けることなく一定時間が経過すれば、その旨（一定時間のタイムアップ）を演算処理部２００Ａに通知する。また、タイマ回路２０７Ａは、演算処理部２００Ａから点灯保持時間の計時を開始するように開始指示を受けると、切替機能によって切り替えられている点灯保持時間の計時を開始し、その点灯保持時間の計時の際にリセット指示を受けることなくその点灯保持時間が経過すれば、その旨（点灯保持時間のタイムアップ）を演算処理部２００Ａに通知する。
【００７５】
演算処理部２００Ａは、第１実施形態の演算処理部２００との相違点として、総合監視装置１から電力削減指示を受けると、自己が属する照明サブシステム２において、人検出部２０６による人が居なくなったとする検出結果に応じて行われる各照明器具２１の制御を、総合監視装置１から電力削減指示を受けない場合の各照明器具２１の制御に比べて消費電力が低減するように変更するための制御を行う。
【００７６】
より具体的には、総合監視装置１から電力削減レベル１、電力削減レベル２、電力削減レベル３の電力削減指示を受けると、自己が属する照明サブシステム２内の各照明器具２１に対し、その点灯保持時間を、点灯保持時間Ｔに比べて短くするように点灯保持時間Ｔ１，Ｔ２，Ｔ３にそれぞれ変更するための制御が行われる。一方、総合監視装置１から電力削減解除が通知され電力削減指示を受けなくなると、自己が属する照明サブシステム２内の各照明器具２１に対し、その点灯保持時間を点灯保持時間Ｔに戻すための制御が行われる。
【００７７】
次に第２実施形態のマネジメントシステムの動作について説明する。まず総合監視装置１による電力削減制御の動作を説明すると、各照明サブシステム２Ａの各照明器具２１において、点灯レベル検出回路２１３で検出された現在の点灯レベルと定格ランプ消費電力値とから負荷消費電力値の情報が作成され、信号送受信部２１１を介して照明制御コントローラ２０に送信される。
【００７８】
各照明サブシステム２Ａの照明制御コントローラ２０Ａにおいて、照明サブシステム２Ａ内の各照明器具２１からの負荷消費電力値の情報が信号送受信部２０２を介して取得されると、それら負荷消費電力値を加算することによりサブシステム消費電力値が求められる。この後、そのサブシステム消費電力値は、ビルネットワークインターフェイス２０１を介して総合監視装置１に送信される。
【００７９】
総合監視装置１において、各照明サブシステム２Ａからのサブシステム消費電力値がビルネットワークインターフェイス１１を介して取得されると、それらサブシステム消費電力値を合計することによりシステム消費電力値が算出される。この後、システム消費電力値が消費電力規定値を超えるか否かに応じて電力削減要求を出すか否かの判断が行われる。そして、電力削減要求を出さないとの判断が行われると、マネジメントシステムの現在の動作状態が維持される一方、電力削減要求を出すとの判断が行われると、電力削減指示信号が生成されてビルネットワークインターフェイス１１を介して各照明サブシステム２Ａに送信される。ここでは、例えば電力削減レベル１の電力削減指示信号が生成されて送信されたとする。
【００８０】
各照明サブシステム２Ａの照明制御コントローラ２０Ａにおいて、総合監視装置１からの電力削減レベル１の電力削減指示信号がビルネットワークインターフェイス２０１で受信されると、電力削減レベル１に対応する電力削減制御モードに移行する。そして、電力目標値管理部２０４によって電力削減レベル１用のサブシステム目標値が設定され、これに合わせて制御判断部２０５によって、照明サブシステム２Ａ内の各照明器具２１の少なくとも一部に対し、負荷消費電力値が例えば９０％となる個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００８１】
各照明サブシステム２Ａの各照明器具２１において、照明制御コントローラ２０からの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、各照明サブシステム２内の各照明器具２１の少なくとも一部の負荷消費電力値が、９０％となるように低減する。続いて、制御部２１０によって、点灯レベル検出回路２１３で検出された現在の点灯レベルと定格ランプ消費電力値とから負荷消費電力値の情報が作成され、信号送受信部２１１を介して照明制御コントローラ２０に送信される。なお、この負荷消費電力値の情報の送信処理は、定格ランプ消費電力値を照明制御コントローラ２０Ａに既に送っているなら、省略可能である。
【００８２】
各照明サブシステム２Ａの照明制御コントローラ２０Ａにおいて、演算処理部２００Ａによって、最新の各負荷消費電力値からサブシステム消費電力値が算出され、サブシステム目標値以下であるか否かの判断が行われる。
【００８３】
そして、サブシステム消費電力値がサブシステム目標値以下であれば、演算処理部２００Ａによって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１が動作する。
【００８４】
一方、サブシステム消費電力値がサブシステム目標値を超えて、演算処理部２００Ａによって目標未達成と判断されるか、または電力削減レベル２に切り替えられるかすれば、電力削減レベル２に対応する電力削減制御モードに移行する。そして、電力削減レベル２用のサブシステム目標値が設定され、これに合わせて制御判断部２０５によって、各照明サブシステム２Ａ内の各照明器具２１の少なくとも一部に対し、負荷消費電力値が例えば８０％となる個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００８５】
各照明サブシステム２Ａの各照明器具２１において、照明制御コントローラ２０Ａからの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、各照明サブシステム２内の各照明器具２１の少なくとも一部の負荷消費電力値が、８０％となるように低減する。
【００８６】
各照明サブシステム２Ａの照明制御コントローラ２０Ａにおいて、演算処理部２００Ａによって、最新の各負荷消費電力値からサブシステム消費電力値が算出され、サブシステム目標値以下であるか否かの判断が行われる。
【００８７】
そして、サブシステム消費電力値がサブシステム目標値以下であれば、演算処理部２００Ａによって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１が動作する。
【００８８】
一方、サブシステム消費電力値がサブシステム目標値を超えて、演算処理部２００Ａによって目標未達成と判断されるか、または電力削減レベル３のレベルに切り替えられるかすれば、電力削減レベル３に対応する電力削減制御モードに移行する。そして、これ以降は上記と同様の処理がなされ、例えば、総合監視装置１から電力削減解除信号が送信されるまで、電力削減レベル３の動作状態が維持される。
【００８９】
次に人検出部２０６の検出結果に応じた照明サブシステム２Ａの動作について説明する。各照明サブシステム２Ａの照明制御コントローラ２０Ａは、総合監視装置１から電力削減レベル１，２，３の電力削減指示信号をビルネットワークインターフェイス２０１で受信しない通常時には、タイマ回路２０７Ａの点灯保持時間を演算処理部２００Ａによって点灯保持時間Ｔに切り替える一方、受信する電力削減時には、タイマ回路２０７Ａの点灯保持時間を演算処理部２００ＡによってＴ１，Ｔ２，Ｔ３の点灯保持時間にそれぞれ切り替える。
【００９０】
そして、照明制御コントローラ２０Ａは、自己の設置場所付近の検出エリア内に人が居るか否かの居否状況を自己の人検出部２０６で監視し、照明器具２１を制御する。
【００９１】
すなわち、人検出部２０６から人が居るとする検出結果が得られれば、通常時には負荷消費電力値が１００％となるように制御が実行される一方、電力削減時には、電力削減レベル１，２，３に応じて、それぞれ負荷消費電力値が９０％，８０％，７０％となるように制御が実行される。
【００９２】
続いて、人検出部２０６から人が居なくなったとする検出結果が得られ、その人非検出結果が保持されたまま一定時間が経過すれば、その一定時間が経過するまでの間は、引き続き照明器具２１を上記の負荷消費電力値で動作させ、その一定時間が経過した後は、５０％の負荷消費電力値に出力を下げるように照明器具２１を動作させる制御が実行される。
【００９３】
続いて、一定時間の経過時点から、切り替えられた点灯保持時間が経過するまでの間は、照明器具２１を点灯レベル５０％で動作させ、点灯保持時間が経過した後は、点灯レベル５０％から点灯レベル０％（消灯）に出力を下げるように照明器具２１を動作させる制御が実行される。
【００９４】
この後または上記一定時間の経過時点以降において、人検出部２０６から人が居るとする検出結果が得られれば、通常時には負荷消費電力値が１００％となるように制御が実行される一方、電力削減時には、電力削減レベル１，２，３に応じて、それぞれ負荷消費電力値が９０％，８０％，７０％となるように制御が実行される。
【００９５】
このように、総合監視装置１からの電力削減指示の電力削減レベルに従って、点灯保持時間を切り替えることにより、人非検出時の照明器具２１の点灯時間を短くすることができ、電力削減指示を受けていない場合の点灯保持時間よりも電力削減量を増大することができる。
【００９６】
以上、第２実施形態によれば、電力削減指示を受けると、人非検出時に行われる照明器具２１の制御が、電力削減指示を受けない場合の照明器具２１の制御に比べて消費電力が低減するように変更されるので、その分、第１実施形態よりも電力削減量を増大することができる。
【００９７】
（第３実施形態）
図５は本発明による第３実施形態のマネジメントシステムにおける照明サブシステムの動作説明図である。
【００９８】
第３実施形態のマネジメントシステムは、図３に示した第２実施形態と同様に構成され、人検出部２０６による人が居なくなったとする検出結果に応じて行われる照明器具２１の制御を、総合監視装置１から電力削減指示を受けない場合の照明器具２１の制御に比べて消費電力が低減するように変更することを特徴とする。
【００９９】
具体的には、第３実施形態の照明制御コントローラ２０Ａは、総合監視装置１から電力削減レベル１、電力削減レベル２、電力削減レベル３の電力削減指示を受けると、図５に示すように、自己が属する照明サブシステム２Ａ内の各照明器具２１に対し、点灯制御から調光制御への移行完了までのフェード時間（第１のフェード時間）を、総合監視装置１から電力削減指示を受けない場合のフェード時間ｔに比べて短くするようにフェード時間ｔ１，ｔ２，ｔ３にそれぞれ変更するための制御を行う。
【０１００】
ここで、照明制御コントローラ２０Ａ内のタイマ回路２０７Ａには、照明器具２１の照明制御を行う際に、照明制御の動作時間を設定したフェード時間（ｔ，ｔ１，ｔ２，ｔ３）が記憶されている。
【０１０１】
例えば、総合監視装置１から電力削減指示を受けていない場合、人非検出に応じて、照明器具２１の点灯レベルを１００％のフル点灯状態から点灯レベル５０％に下げるとき、照明器具２１はフェード時間ｔの間に１００％から５０％に点灯レベルを下げる。一方、総合監視装置１から電力削減指示を受けている場合、人非検出に応じて、照明器具２１の点灯レベルを１００％のフル点灯状態から点灯レベル５０％に下げるとき、照明器具２１は電力削減レベルに対応するフェード時間の間に１００％から５０％に点灯レベルを下げる。
【０１０２】
次に第３実施形態のマネジメントシステムの動作について説明する。ただし、総合監視装置１による電力削減制御の動作は第２実施形態のそれと同様であるので、人検出部２０６の検出結果に応じた照明サブシステム２Ａの動作について説明する。
【０１０３】
各照明サブシステム２Ａの照明制御コントローラ２０Ａは、総合監視装置１から電力削減レベル１，２，３の電力削減指示信号をビルネットワークインターフェイス２０１で受信しない通常時には、タイマ回路２０７Ａのフェード時間をフェード時間ｔに変更する一方、受信する電力削減時には、タイマ回路２０７Ａのフェード時間をフェード時間ｔ１，ｔ２，ｔ３にそれぞれ変更する。例えば、制御判断部２０５が、演算処理部２００Ａからの電力削減制御への移行通知に従って、タイマ回路２０７Ａで予め設定されているフェード時間ｔをこれよりも短いｔ１，ｔ２，ｔ３に設定変更する。なお、点灯保持時間については、Ｔ固定でもあるいは第２実施形態と同様にＴ１，Ｔ２，Ｔ３の点灯保持時間にそれぞれ切り替えられる構成でもよい。
【０１０４】
そして、照明制御コントローラ２０Ａは、自己の設置場所付近の検出エリア内に人が居るか否かの居否状況を自己の人検出部２０６で監視し、照明器具２１を制御する。
【０１０５】
すなわち、人検出部２０６から人が居るとする検出結果が得られれば、通常時には負荷消費電力値が１００％となるように制御が実行される一方、電力削減時には、電力削減レベル１，２，３に応じて、それぞれ負荷消費電力値が９０％，８０％，７０％となるように制御が実行される。
【０１０６】
続いて、人検出部２０６から人が居なくなったとする検出結果が得られ、その人非検出結果が保持されたまま一定時間が経過すれば、その一定時間が経過するまでの間は、引き続き照明器具２１を上記の負荷消費電力値で動作させ、その一定時間が経過した後は、変更されたフェード時間（ｔ，ｔ１，ｔ２，ｔ３）をかけて５０％の負荷消費電力値に出力を下げるように照明器具２１を動作させる制御が実行される。具体的には、一定時間が経過すれば、演算処理部２００Ａが照明制御信号生成部２０３に対して、照明器具２１の点灯レベルを下げる制御信号の生成を指示し、タイマ回路２０７Ａが点灯保持時間のカウントを開始する。照明制御信号生成部２０３は、演算処理部２００Ａからの指示を受けて、照明器具２１の点灯レベルを５０％まで下げ、その点灯制御のフェード時間（ｔ，ｔ１，ｔ２，ｔ３）の内容を含む照明制御信号を生成し、信号送受信部２０２を介して照明器具２１に送信する。照明器具２１は、照明制御信号を受信すると、フェード時間（ｔ，ｔ１，ｔ２，ｔ３）に従って、ランプ点灯レベルを５０％にまで下げるランプ電力制御を行う。
【０１０７】
続いて、一定時間の経過時点から点灯保持時間が経過するまでの間は、照明器具２１を点灯レベル５０％で動作させ、点灯保持時間が経過した後は、点灯レベル５０％から点灯レベル０％（消灯）に出力を下げるように照明器具２１を動作させる制御が実行される。なお、点灯レベル５０％から点灯レベル０％（消灯）に出力を下げる場合も、変更されたフェード時間をかけて下げるようにしてもよい。
【０１０８】
この後または上記一定時間の経過時点以降において、人検出部２０６から人が居るとする検出結果が得られれば、通常時には負荷消費電力値が１００％となるように制御が実行される一方、電力削減時には、電力削減レベル１，２，３に応じて、それぞれ負荷消費電力値が９０％，８０％，７０％となるように制御が実行される。
【０１０９】
以上、第３実施形態によれば、照明制御コントローラ２０Ａが、総合監視装置１から電力削減指示を受けると、自己が属する照明サブシステム２Ａ内の各照明器具２１に対し、点灯制御から調光制御への移行完了までのフェード時間を、総合監視装置１から電力削減指示を受けない場合のフェード時間に比べて短くするように変更するための制御を行うので、点灯制御から調光制御への移行が早くななり、その分、照明器具２１の消費電力を削減することができる。
【０１１０】
なお、第３実施形態では、点灯制御のフェード時間の内容を含む照明制御信号が生成されて照明器具に送信される構成になっているが、フェード時間の内容に代えて電力削減レベルの情報が照明器具に送信され、照明器具がその電力削減レベルに応じてフェード時間を変更する構成でも構わない。
【０１１１】
（第４実施形態）
第４実施形態のマネジメントシステムは、第２，第３実施形態と同様に構成され、人検出部２０６による人が居なくなったとする検出結果に応じて行われる照明器具２１の制御を、総合監視装置１から電力削減指示を受けない場合の照明器具２１の制御に比べて消費電力が低減するように変更することを特徴とする。
【０１１２】
具体的には、第４実施形態の照明制御コントローラ２０Ａは、総合監視装置１から電力削減レベル１、電力削減レベル２、電力削減レベル３の電力削減指示を受けると、この電力削減指示のレベルに応じて、自己が属する照明サブシステム２Ａ内の各照明器具２１に対しその調光制御による調光率を４０％，２０％，０％にそれぞれ変更するための制御を行う。なお、これに限らず、図６の例に示すように、電力削減レベル１、電力削減レベル２、…，電力削減レベルｎに応じて調光率を３０％，１０％，…０％にそれぞれ変更する構成でもよい。
【０１１３】
次に第４実施形態のマネジメントシステムの動作について説明する。ただし、総合監視装置１による電力削減制御の動作は第２実施形態のそれと同様であるので、人検出部２０６の検出結果に応じた照明サブシステム２Ａの動作について説明する。
【０１１４】
各照明サブシステム２Ａの照明制御コントローラ２０Ａは、総合監視装置１から電力削減レベル１，２，３の電力削減指示信号をビルネットワークインターフェイス２０１で受信しない通常時には、自己が属する照明サブシステム２Ａ内の各照明器具２１に対しその調光制御による調光率を５０％に変更する一方、受信する電力削減時には、自己が属する照明サブシステム２Ａ内の各照明器具２１に対しその調光制御による調光率を４０％，２０％，０％にそれぞれ変更する。
【０１１５】
そして、照明制御コントローラ２０Ａは、自己の設置場所付近の検出エリア内に人が居るか否かの居否状況を自己の人検出部２０６で監視し、照明器具２１を制御する。
【０１１６】
すなわち、人検出部２０６から人が居るとする検出結果が得られれば、通常時には負荷消費電力値が１００％となるように制御が実行される一方、電力削減時には、電力削減レベル１，２，３に応じて、それぞれ負荷消費電力値が９０％，８０％，７０％となるように制御が実行される。
【０１１７】
続いて、人検出部２０６から人が居なくなったとする検出結果が得られ、その人非検出結果が保持されたまま一定時間が経過すれば、その一定時間が経過するまでの間は、引き続き照明器具２１を上記の負荷消費電力値で動作させ、その一定時間が経過した後は、変更された調光率（５０％，４０％，２０％，０％）の負荷消費電力値に出力を下げるように照明器具２１を動作させる制御が実行される。具体的には、一定時間が経過すれば、制御判断部２０５が照明器具さの点灯レベルを変更された調光率にする制御動作パターンを作成し、照明制御信号生成部２０３が制御動作パターンに基づいて照明器具２１の点灯レベルを変更された調光率まで下げる照明制御信号を生成し、信号送受信部２０２を介して照明制御信号を照明器具２１に送信する。照明器具２１は、照明制御信号を受信するとランプ点灯レベルを変更された調光率まで下げるランプ電力制御を行う。
【０１１８】
続いて、一定時間の経過時点から点灯保持時間が経過するまでの間は、照明器具２１を変更された調光率の点灯レベルで動作させ、点灯保持時間が経過した後は、点灯レベル０％（消灯）に出力を下げるように照明器具２１を動作させる制御が実行される。ただし、変更された調光率が０％である場合は、その調光率が保持されることになる。
【０１１９】
この後または上記一定時間の経過時点以降において、人検出部２０６から人が居るとする検出結果が得られれば、通常時には負荷消費電力値が１００％となるように制御が実行される一方、電力削減時には、電力削減レベル１，２，３に応じて、それぞれ負荷消費電力値が９０％，８０％，７０％となるように制御が実行される。
【０１２０】
なお、電力削減時に照明器具２１が人非検出で動作中である場合に、照明制御コントローラ２０Ａは、総合監視装置からレベル緩和または電力削減解除の指示を受けると、すぐに点灯レベルを変更せずに、人検知で照明器具２１が点灯した後、再び人非検出により点灯レベルを下げる際に、上記指示に従った点灯レベルで照明器具２１の点灯制御を行う。
【０１２１】
以上、第４実施形態によれば、照明制御コントローラ２０Ａが、総合監視装置１から電力削減指示を受けると、この電力削減指示のレベルに応じて、自己が属する照明サブシステム２Ａ内の各照明器具２１に対しその調光制御による調光率を変更するための制御を行うので、調光率を変更した分、照明器具２１の消費電力を削減することができる。
【０１２２】
なお、第２から第４実施形態では、人検出部２０６およびタイマ回路２０７Ａは、照明制御コントローラ２０Ａに具備される構成になっているが、図７に示すように、人検出部２１４およびタイマ回路２１５として照明器具２１Ａに具備される構成でもよい。この構成でも、照明制御コントローラが、総合監視装置から電力削減指示を受けると、自己が属する照明サブシステムにおいて、人検出部２１４による人が居なくなったとする検出結果に応じて行われる照明器具２１Ａの制御を、総合監視装置から電力削減指示を受けない場合の照明器具２１Ａの制御に比べて消費電力が低減するように変更するための制御として、総合監視装置から受信した電力削減指示信号を各照明器具２１Ａに送信し、これを受信した制御部２１０Ａが第２から第４実施形態で説明した動作になるように制御を行えば、第２から第４実施形態と同様の効果が得られる。なお、図７において、図２と同様の点灯レベル検出回路２１３をさらに備える構成でも構わない。
【０１２３】
例えば、照明器具２１Ａの制御部２１０Ａは、照明制御コントローラから電力削減レベル１，２，３の電力削減指示信号を受信しない通常時には、タイマ回路２１５の点灯保持時間を点灯保持時間Ｔに切り替える一方、受信する電力削減時には、タイマ回路２１５の点灯保持時間をＴ１，Ｔ２，Ｔ３の点灯保持時間にそれぞれ切り替える。そして、制御部２１０Ａは、自己の設置場所付近の検出エリア内に人が居るか否かの居否状況を自己の人検出部２１４で監視し、点灯装置２１２を通じてランプ負荷ＬＤを制御する。これ以降の動作は、第２実施形態の動作説明において人検出部２０６および照明器具２１などをそれぞれ人検出部２１４およびランプ負荷ＬＤなどに読み替えればよい。
【０１２４】
また、照明器具２１Ａの制御部２１０Ａは、照明制御コントローラから電力削減レベル１，２，３の電力削減指示信号を受信しない通常時には、タイマ回路２１５のフェード時間をフェード時間ｔに変更する一方、受信する電力削減時には、タイマ回路２１５のフェード時間をフェード時間ｔ１，ｔ２，ｔ３にそれぞれ変更する。そして、制御部２１０Ａは、自己の設置場所付近の検出エリア内に人が居るか否かの居否状況を自己の人検出部２１４で監視し、点灯装置２１２を通じてランプ負荷ＬＤを制御する。これ以降の動作は、第３実施形態の動作説明において人検出部２０６および照明器具２１などをそれぞれ人検出部２１４およびランプ負荷ＬＤなどに読み替えればよい。
【０１２５】
さらに、照明器具２１Ａの制御部２１０Ａは、照明制御コントローラから電力削減レベル１，２，３の電力削減指示信号を受信しない通常時には、自己のランプ負荷ＬＤに対しその調光制御による調光率を５０％に変更する一方、受信する電力削減時には、自己のランプ負荷ＬＤに対しその調光制御による調光率を４０％，２０％，０％にそれぞれ変更する。そして、制御部２１０Ａは、自己の設置場所付近の検出エリア内に人が居るか否かの居否状況を自己の人検出部２１４で監視し、点灯装置２１２を通じてランプ負荷ＬＤを制御する。これ以降の動作は、第４実施形態の動作説明において人検出部２０６および照明器具２１などをそれぞれ人検出部２１４およびランプ負荷ＬＤなどに読み替えればよい。
【０１２６】
（第５実施形態）
図８は本発明による第５実施形態のマネジメントシステムの構成図、図９は図８中の照明器具の構成図、図１０，図１１は同マネジメントシステムの動作説明図である。
【０１２７】
第５実施形態のマネジメントシステムは、図８に示すように、第１実施形態と同様の総合監視装置１と、第１実施形態とは異なる複数の照明サブシステム２Ｂとをビル設備ネットワークの配線Ｌ１に接続して構成されている。
【０１２８】
照明サブシステム２Ｂは、複数の照明器具２１Ｂと、これらの照明器具２１Ｂと照明信号線Ｌ２を介して接続され、各照明器具２１Ｂの制御を行う照明制御コントローラ２０Ｂとを備えている。
【０１２９】
照明器具２１Ｂは、図９に示すように、信号送受信部２１１と、点灯装置２１２とを第１実施形態の照明器具２１と同様に備えているほか、照明器具２１との相違点として、図７の構成と同様の人検出部２１４およびタイマ回路２１５と、制御部２１０Ｂとを備えている。
【０１３０】
制御部２１０Ｂは、図７の構成の制御部２１０Ａとの相違点として、照明制御コントローラ２０Ｂから人検出部２１４による検出結果を要求する人検出状況回答要求を受けると、人検出部２１４による検出結果および自己の照明器具アドレスを照明制御コントローラ２０Ｂに返信する処理をさらに実行する。なお、この処理は、さらに定期的に実行されるようにしてもよい。
【０１３１】
照明制御コントローラ２０Ｂは、図８に示すように、ビルネットワークインターフェイス２０１と、信号送受信部２０２と、照明制御信号生成部２０３と、電力目標値管理部２０４とを第１実施形態の照明制御コントローラ２０と同様に備えているほか、照明制御コントローラ２０との相違点として、制御判断部２０５Ａと、演算処理部２００Ｂとを備えている。
【０１３２】
制御判断部２０５Ａは、第１実施形態の制御判断部２０５との相違点として、総合監視装置１から電力削減指示信号を受信すると、上記人検出状況回答要求を出し、この後、複数の照明器具２１Ｂから得られるその人検出部２１４による人が居るとする検出結果から、ランプ負荷ＬＤを点灯している照明器具２１Ｂの台数を求め、この台数から電力削減指示に応じた負荷消費電力値としての個別目標値を求め、この個別目標値で動作させるための制御動作パターンを作成する。また、制御判断部２０５Ａには、制御動作パターンを作成する際に、個別目標値の下限値を制限するための点灯レベル下限値Ｌｍｉｎが設定されている。
【０１３３】
演算処理部２００Ｂは、第１実施形態の演算処理部２００との相違点として、総合監視装置１から受信した電力削減指示信号を照明器具２１Ｂに送信する処理をさらに実行する。
【０１３４】
次に第５実施形態のマネジメントシステムにおける総合監視装置１による電力削減制御の動作について説明する。
【０１３５】
各照明サブシステム２Ｂの照明制御コントローラ２０Ｂにおいて、総合監視装置１から電力削減レベル１〜３のいずれかの電力削減指示信号がビルネットワークインターフェイス２０１で受信されると（図１０のＳ１）、その電力削減レベルに対応する電力削減制御モードに移行する。そして、電力目標値管理部２０４によって電力削減レベルに応じたサブシステム目標値が設定され（Ｓ２）、制御判断部２０５Ａによって人検出状況回答要求が出され、演算処理部２００Ｂの協調により信号送受信部２０２を介して各照明器具２１Ｂに送信される（Ｓ３）。
【０１３６】
各照明サブシステム２Ｂの各照明器具２１Ｂにおいて、信号送受信部２１１を介して照明制御コントローラ２０Ｂからの人検出状況回答要求が受信されると、ランプ負荷ＬＤが点灯ないし調光中である場合、人検出部２１４による検出結果および照明器具アドレスを含む動作状態情報が信号送受信部２１１を介して照明制御コントローラ２０Ｂに送信される。
【０１３７】
各照明サブシステム２Ｂの照明制御コントローラ２０Ｂにおいて、信号送受信部２０２を介して各照明器具２１Ｂから人検出部２１４による検出結果および照明器具アドレスが取得されると、制御判断部２０５Ａによって、複数の照明器具２１Ｂから得られる人が居るとする検出結果から、ランプ負荷ＬＤを点灯している照明器具２１Ｂの台数が求められ、この台数から電力削減指示に応じた負荷消費電力値としての個別目標値が求められ（Ｓ４，Ｓ５）、この個別目標値で動作させるための制御動作パターンが作成される。このとき、電力目標値管理部２０４によって設定されたサブシステム目標値を、ランプ負荷ＬＤを点灯している照明器具２１Ｂの台数で除算することにより、照明器具１台当たりの削減量が求められ、この削減量から個別目標値が求められる。また、個別目標値が点灯レベル下限値Ｌｍｉｎを下回っていれば、個別目標値が点灯レベル下限値Ｌｍｉｎとなるようにして制御動作パターンが作成され（Ｓ７）、そうでなければ、ステップＳ４，Ｓ５で得られた個別目標値から制御動作パターンが作成される（Ｓ８）。この後、ランプ負荷ＬＤを点灯している照明器具２１Ｂの照明器具アドレスを含み制御動作パターンに合う照明制御信号が照明制御信号生成部２０３によって生成され、信号送受信部２０２から各照明器具２１Ｂに送信される。
【０１３８】
各照明サブシステム２Ｂの各照明器具２１Ｂにおいて、照明制御コントローラ２０Ｂからの、自己の照明器具アドレスを含む照明制御信号が信号送受信部２１１で受信されると、その照明制御信号に含まれる制御内容（制御動作パターン）に従って制御部２１０Ｂが点灯装置２１２を制御することにより、ランプ負荷ＬＤが点灯、消灯または調光される（図１１参照）。
【０１３９】
なお、電力削減レベルが切り替わり、電力目標値管理部２０４でのサブシステム目標値が変更された際は、上記と同様の手順で照明器具２１Ｂの制御動作パターンが再度算出されて、照明器具２１Ｂの消費電力削減のための制御が行なわれる。
【０１４０】
以上、第５実施形態によれば、照明制御コントローラ２０Ｂが、総合監視装置１から電力削減指示を受けると、複数の照明器具２１Ｂから得られるその人検出部２１４による人が居るとする検出結果から、ランプ負荷ＬＤを点灯している照明器具２１Ｂの台数を求め、この台数から電力削減指示に応じた負荷消費電力値としての個別目標値を求め、この個別目標値で、ランプ負荷ＬＤを点灯している照明器具２１Ｂを動作させるように制御を行うので、電力削減の目標達成の精度を高めることができる。
【０１４１】
なお、第５実施形態では、人検出部２１４による検出結果から制御動作パターンが作成されるが、照明器具２１Ｂの動作状態情報から制御動作パターンを作成することも可能である。
【０１４２】
（第６実施形態）
図１２は本発明による第６実施形態のマネジメントシステムの構成図、図１３，図１４は同マネジメントシステムの動作説明図である。
【０１４３】
第６実施形態のマネジメントシステムは、図１２に示すように、第５実施形態と同様の総合監視装置１と、第５実施形態とは異なる複数の照明サブシステム２Ｃとをビル設備ネットワークの配線Ｌ１に接続して構成されている。
【０１４４】
照明サブシステム２Ｃは、第５実施形態と同様の複数の照明器具２１Ｂと、これらの照明器具２１Ｂと照明信号線Ｌ２を介して接続され、各照明器具２１Ｂの制御を行う照明制御コントローラ２０Ｃとを備えている。
【０１４５】
照明制御コントローラ２０Ｂは、ビルネットワークインターフェイス２０１と、信号送受信部２０２と、照明制御信号生成部２０３と、電力目標値管理部２０４とを第５実施形態の照明制御コントローラ２０Ｂと同様に備えているほか、照明制御コントローラ２０Ｂとの相違点として、演算処理部２００Ｃと、制御判断部２０５Ｂとを備えている。
【０１４６】
演算処理部２００Ｃは、第５実施形態の演算処理部２００Ｂとの相違点として、制御判断部２０５Ｂから人検出状況回答要求が出されると、これを信号送受信部２０２を介して各照明器具２１Ｂに送信し、この後、信号送受信部２０２を介して各照明器具２１Ｂから人検出部２１４による検出結果および照明器具アドレスを取得すると、照明器具アドレスに人検出部２１４による検出結果を対応付けた上記データテーブルを作成して制御判断部２０５Ｂに渡す処理をさらに実行する。
【０１４７】
制御判断部２０５Ｂは、電力目標値管理部２０４によってサブシステム目標値が設定されると、人検出状況回答要求を出し、この後、演算処理部２００Ｃから上記データテーブルが得られると、これを利用して、自己が属する照明サブシステム２Ｃ内の各照明器具２Ｂに対し、現在の負荷出力レベルとしての負荷消費電力値よりも低く人検出部２１４による検出結果の違いで差の出る負荷出力レベルとしての個別目標値を求め、この個別目標値で動作させるための制御動作パターンを作成する。例えば、電力削減指示が電力削減レベル１である場合には、人非検出で消灯中の照明器具２１Ｂの近辺の照明器具２１Ｂについては、その点灯レベル（負荷出力レベル）を１０％下げ、それ以外の照明器具２１Ｂについては、その点灯レベルを２０％下げるような制御動作パターンが作成される。電力削減指示が電力削減レベル２，３である場合も、同様にして制御動作パターンが作成される。
【０１４８】
次に第６実施形態のマネジメントシステムの特徴となる動作について説明すると、各照明器具２Ｂは、自己の人検出部２１４による検出結果に応じて、ランプ負荷ＬＤの制御を行っている。
【０１４９】
各照明サブシステム２Ｃの照明制御コントローラ２０Ｃにおいて、総合監視装置１からの電力削減レベル１の電力削減指示信号がビルネットワークインターフェイス２０１で受信されると（図１３のＳ１１）、電力削減レベル１に対応する電力削減制御モードに移行する。そして、電力目標値管理部２０４によって電力削減レベル１用のサブシステム目標値が設定され、制御判断部２０５Ｂによって人検出状況回答要求が出され、演算処理部２００Ｃの協調により信号送受信部２０２を介して各照明器具２１Ｂに送信される。
【０１５０】
各照明サブシステム２Ｂの各照明器具２１Ｂにおいて、信号送受信部２１１を介して照明制御コントローラ２０Ｃからの人検出状況回答要求が受信されると、ランプ負荷ＬＤの動作状態に関わらず、人検出部２１４による検出結果および照明器具アドレスを含む人検出情報が信号送受信部２１１を介して照明制御コントローラ２０Ｃに送信される（Ｓ１２）。
【０１５１】
各照明サブシステム２Ｃの照明制御コントローラ２０Ｃにおいて、信号送受信部２０２を介して各照明器具２１Ｂから人検出部２１４による検出結果および照明器具アドレスが取得されると、演算処理部２００Ｃによって照明器具アドレスに人検出部２１４による検出結果を対応付けたデータテーブルが作成される（Ｓ１３）。この後、制御判断部２０５Ｂによって、そのデータテーブルを基に自己が属する照明サブシステム２Ｃ内の各照明器具２Ｂに対し、現在の負荷消費電力値よりも低く人検出部２１４による検出結果の違いで差の出る個別目標値が求められ、この個別目標値で動作させるための制御動作パターンが作成される（Ｓ１４）。この後、照明器具２１Ｂの照明器具アドレスを含み制御動作パターンに合う照明制御信号が照明制御信号生成部２０３によって生成され、信号送受信部２０２から各照明器具２１Ｂに送信される。
【０１５２】
各照明サブシステム２Ｃの各照明器具２１Ｂにおいて、照明制御コントローラ２０Ｃからの、自己の照明器具アドレスを含む照明制御信号が信号送受信部２１１で受信されると、その照明制御信号に含まれる制御内容（制御動作パターン）に従って制御部２１０Ｂが点灯装置２１２を制御することにより、ランプ負荷ＬＤが点灯、消灯または調光される。このとき、人非検出で消灯中の照明器具２１Ｂと隣接する照明器具２１Ｂの点灯レベルが１０％下がり、それ以外の照明器具２１Ｂの点灯レベルが２０％下がる（図１４参照）。図１４の例では、人非検出で消灯中の照明器具２１Ｂと隣接する照明器具２１Ｂとこれに隣接する照明器具２１Ｂとの点灯レベルは、「調光小」（１０％に対応）となっており、それ以外の照明器具２１Ｂの点灯レベルは、「調光大」（２０％に対応）となっている。
【０１５３】
また、総合監視装置１から更なる電力削減要求が出されてこれに対応する電力削減制御モードに移行する場合も、上記同様、人検出情報の取得、人検出部２１４による検出結果の違いで個別目標値に差の出る制御動作パターンの作成などの動作を経て、各照明器具２１Ｂの電力削減制御が実行されることになる。
【０１５４】
以上、第６実施形態によれば、照明制御コントローラ２０Ｃが、総合監視装置１から電力削減指示を受けると、自己が属する照明サブシステム２Ｃ内の各照明器具２１Ｂから得られるその人検出部２１４による検出結果を利用して、自己が属する照明サブシステム２Ｃ内の各照明器具２１Ｂに対し、現在の負荷消費電力値よりも低く人検出部２１４による検出結果の違いで差の出る個別目標値を求めてこの個別目標値で動作させるように制御を行うので、例えば、人非検出で消灯ないし調光（例えば５０％調光）している照明器具近辺の照明器具に対し、点灯レベルの低下量を抑えるような制御が可能となる。この場合、電力削減制御による視環境変化を少なくできる効果がある。
【０１５５】
【発明の効果】
以上のことから明らかなように、請求項１記載の発明は、負荷機器およびこの負荷機器の制御を行うコントローラを含むサブシステムと、このサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置とをネットワークに接続して構成され、人が居るか否かの検出をする人検出手段による検出結果が前記負荷機器の制御に利用されるマネジメントシステムに含まれる少なくとも１つの前記サブシステムによりなる負荷制御システムであって、前記コントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行うので、総合監視装置が、電力削減指示を与えるだけで負荷機器の具体的な制御を行う必要がなくなるため、総合監視装置の演算処理の負担を軽減することができ、その構成を簡単にして安価にすることができる。これにより、システム規模が大きくなっても、総合監視装置にかかる負担が勢い増大することなく、高コストの総合監視装置を必要としない負荷制御システムを提供することができる。例えば、サブシステムに複数の負荷機器が設けられたり、サブシステムが複数設けられたり、あるいはサブシステムが複数種類設けられたりしてシステム規模が大きくなり、加えてサブシステム内の各負荷機器の一部に対し、現在の負荷出力レベルよりも低い負荷出力レベルを求めてこの負荷出力レベルで動作させるような制御を行うようにしたとしても、その制御が総合監視装置ではなく主としてコントローラによって行われるので、総合監視装置にかかる負担を増大させることなく、負荷機器の効率的な電力削減制御が可能になり、負荷機器として照明器具を備える場合には照明環境の変化による心理的悪影響を軽減するなどの制御も可能となる。
【０１５６】
請求項２記載の発明は、請求項１記載の負荷制御システムにおいて、前記人検出手段は、前記サブシステム内の負荷機器またはコントローラに具備され、前記コントローラは、前記総合監視装置から電力削減指示を受けると、自己が属するサブシステムにおいて、前記人検出手段による人が居なくなったとする検出結果に応じて行われる負荷機器の制御を、前記総合監視装置から電力削減指示を受けない場合の負荷機器の制御に比べて消費電力が低減するように変更するための制御を行うので、その分、電力削減量を増大することができる。
【０１５７】
請求項３記載の発明は、請求項２記載の負荷制御システムにおいて、前記負荷機器は照明器具であり、前記人検出手段は、人が居るとする検出結果が前記負荷機器の点灯制御に利用され、人が居なくなったとする検出結果が前記負荷機器の調光制御に利用され、この調光制御の開始時点から所定の点灯保持時間中に人が居る検出結果が得られなければ前記負荷機器の消灯または調光制御に利用されるものであり、前記コントローラは、前記総合監視装置から電力削減指示を受けると、自己が属するサブシステム内の負荷機器に対し、その点灯保持時間または点灯制御から調光制御への移行完了までのフェード時間を、前記総合監視装置から電力削減指示を受けない場合の点灯保持時間またはフェード時間に比べて短くするように変更するための制御を行うので、点灯保持時間またはフェード時間を短くした分、電力削減量を増大することができる。
【０１５８】
請求項４記載の発明は、請求項２記載の負荷制御システムにおいて、前記負荷機器は照明器具であり、前記人検出手段は、人が居るとする検出結果が前記負荷機器の点灯制御に利用され、人が居なくなったとする検出結果が前記負荷機器の調光制御に利用されるものであり、前記電力削減指示には電力削減量の異なる複数のレベルがあり、前記コントローラは、前記総合監視装置から電力削減指示を受けると、この電力削減指示のレベルに応じて、自己が属するサブシステム内の負荷機器に対しその調光制御による調光率を変更するための制御を行うので、調光率を変更した分、消費電力を削減することができる。
【０１５９】
請求項５記載の発明は、請求項１または２記載の負荷制御システムにおいて、請求項１または２記載の負荷制御システムにおいて、前記人検出手段は、前記サブシステム内の複数の負荷機器に具備され、前記負荷機器は、光源を備え、自己の人検出手段から人が居るとする検出結果が得られると自己の光源を点灯する照明器具であり、前記コントローラは、前記総合監視装置から電力削減指示を受けると、前記複数の負荷機器から得られるその人検出手段による人が居るとする検出結果から、光源を点灯している照明器具の台数を求め、この台数から前記電力削減指示に応じた負荷出力レベルを求め、前記光源を点灯している照明器具をその負荷出力レベルで動作させるように制御を行うので、電力削減の目標達成の精度を高めることができる。
【０１６０】
請求項６記載の発明は、請求項１または２記載の負荷制御システムにおいて、前記人検出手段は、前記サブシステム内の複数の負荷機器に具備され、前記コントローラは、前記総合監視装置から電力削減指示を受けると、自己が属するサブシステム内の各負荷機器から得られるその人検出手段による検出結果を利用して、自己が属するサブシステム内の各負荷機器に対し、現在の負荷出力レベルよりも低く人検出手段による検出結果の違いで差の出る負荷出力レベルを求めてこの負荷出力レベルで動作させるように制御を行うので、例えば、人が居なくなったとする検出結果により消灯ないし調光している照明器具近辺の照明器具に対し、負荷出力レベルの低下量を抑えるような制御が可能となる。この場合、電力削減制御による視環境変化を少なくできる効果がある。
【０１６１】
請求項７記載の発明のマネジメントシステムは、請求項１から６のいずれかに記載の負荷制御システムと、この負荷制御システム内の負荷機器による消費電力を監視する消費電力監視手段を持ち、この消費電力監視手段によって監視されている消費電力を低減する必要がある場合に前記負荷制御システム内のコントローラに電力削減指示を出す総合監視装置とをネットワークに接続して構成され、人が居るか否かの検出をする人検出手段による検出結果が前記負荷機器の制御に利用されるので、総合監視装置が、電力削減指示を与えるだけで負荷機器の具体的な制御を行う必要がなくなるため、総合監視装置の演算処理の負担を軽減することができ、その構成を簡単にして安価にすることができる。これにより、システム規模が大きくなっても、総合監視装置にかかる負担が勢い増大することなく、高コストの総合監視装置を必要としない負荷制御システムを提供することができる。
【図面の簡単な説明】
【図１】本発明による第１実施形態のマネジメントシステムの構成図である。
【図２】図１中の照明器具の構成図である。
【図３】本発明による第２実施形態のマネジメントシステムの構成図である。
【図４】同マネジメントシステムにおける照明サブシステムの動作説明図である。
【図５】本発明による第３実施形態のマネジメントシステムにおける照明サブシステムの動作説明図である。
【図６】本発明による第４実施形態のマネジメントシステムに関連する動作例を示す図である。
【図７】第２〜第４実施形態の別例の説明図である。
【図８】本発明による第５実施形態のマネジメントシステムの構成図である。
【図９】図８中の照明器具の構成図である。
【図１０】同マネジメントシステムの動作説明図である。
【図１１】同マネジメントシステムの動作説明図である。
【図１２】本発明による第６実施形態のマネジメントシステムの構成図である。
【図１３】同マネジメントシステムの動作説明図である。
【図１４】同マネジメントシステムの動作説明図である。
【図１５】第１従来技術のマネジメントシステムの構成図である。
【図１６】同マネジメントシステムにおける総合監視装置の構成図である。
【図１７】同マネジメントシステムにおける照明サブシステムの模式図である。
【図１８】第２従来技術のマネジメントシステムの構成図である。
【図１９】同マネジメントシステムの動作説明図である。
【図２０】同マネジメントシステムの動作説明図である。
【符号の説明】
１  総合監視装置
１１  ビルネットワークインターフェイス
１２  消費電力監視部
１３  制御部
２，２Ａ，２Ｂ，２Ｃ  照明サブシステム
２０，２０Ａ，２０Ｂ，２０Ｃ  照明制御コントローラ
２００，２００Ａ，２００Ｂ，２００Ｃ  演算処理部
２０１  ビルネットワークインターフェイス
２０２  信号送受信部
２０３  照明制御信号生成部
２０４  電力目標値管理部
２０５，２０５Ａ，２０５Ｂ  制御判断部
２０６  人検出部
２０７Ａ  タイマ回路
２１，２１Ａ，２１Ｂ  照明器具
２１０，２１０Ａ，２１０Ｂ  制御部
２１１  信号送受信部
２１２  点灯装置
２１３  点灯レベル検出回路
２１４  人検出部
２１５  タイマ回路
【図１】
2004180412.tif 000003
【図２】
2004180412.tif 000004
【図３】
2004180412.tif 000005
【図４】
2004180412.tif 000006
【図５】
2004180412.tif 000007
【図６】
2004180412.tif 000008
【図７】
2004180412.tif 000009
【図８】
2004180412.tif 000010
【図９】
2004180412.tif 000011
【図１０】
2004180412.tif 000012
【図１１】
2004180412.tif 000013
【図１２】
2004180412.tif 000014
【図１３】
2004180412.tif 000015
【図１４】
2004180412.tif 000016
【図１５】
2004180412.tif 000017
【図１６】
2004180412.tif 000018
【図１７】
2004180412.tif 000019
【図１８】
2004180412.tif 000020
【図１９】
2004180412.tif 000021
【図２０】
2004180412.tif 000022